(57)【特許請求の範囲】
【請求項１】
フレームと、フロッピーディスクの出入りに伴い回動するドアと、上記フレームの上部を覆うカバーと、上記フレームに取り付けられ、上記カバーの変形を防止する補強板とを備えたフロッピーディスク駆動装置において、上記ドアの後側に位置し、上記ドアの撓みにより当該ドアに当接する折曲部を上記補強板に設けると共に、上記ドアの回動時に上記折曲部との衝突を回避するくぼみ部を上記ドアに設けたことを特徴とするフロッピーディスク駆動装置。
【請求項２】
フレームと、フロッピーディスクの出入りに伴い回動するドアと、上記フレームの上部を覆うカバーとを備えたフロッピーディスク駆動装置において、上記フレームの上部に上記カバーとは別体の水平部材を設け、ドアの後側に位置し、上記ドアの撓みにより当該ドアに当接する折曲部を上記水平部材に設けると共に、上記ドアの回動時に上記折曲部との衝突を回避するくぼみ部を上記ドアに設けたことを特徴とするフロッピーディスク駆動装置。
【請求項３】
フレームと、このフレームに取付けられ、フロッピーディスク出入用の開口部を備えたパネルと、フロッピーディスクの出入りに伴い回動し、上記開口部を開閉するドアとを備えたフロッピーディスク駆動装置において、上記ドアの後側に位置し、上記ドアの撓みにより当該ドアに当接する突起部を上記パネルの上部に設けると共に、上記ドアの回動時に上記突起部との衝突を回避するくぼみ部を上記ドアに設けたことを特徴とするフロッピーディスク駆動装置。
【請求項４】
フレームと、フロッピーディスクの出入りに伴い回動するドアと、上記フレームの上部を覆うカバーと、上記フレームに取り付けられ、上記カバーの変形を防止する補強板とを備えたフロッピーディスク駆動装置において、上記ドアの後側に位置し、上記ドアの撓みにより当該ドアに当接する折曲部を上記補強板に設けると共に、上記ドアの回動時に上記折曲部との衝突を回避する逃げ孔を上記ドアに設けたことを特徴とするフロッピーディスク駆動装置。
【請求項５】
フレームと、フロッピーディスクの出入りに伴い回動するドアと、上記フレームの上部を覆うカバーとを備えたフロッピーディスク駆動装置において、上記フレームの上部に上記カバーとは別体の水平部材を設け、ドアの後側に位置し、上記ドアの撓みにより当該ドアに当接する折曲部を上記水平部材に設けると共に、上記ドアの回動時に上記折曲部との衝突を回避する逃げ孔を上記ドアに設けたことを特徴とするフロッピーディスク駆動装置。
【請求項６】
フレームと、このフレームに取付けられ、フロッピーディスク出入用の開口部を備えたパネルと、フロッピーディスクの出入りに伴い回動し、上記開口部を開閉するドアとを備えたフロッピーディスク駆動装置において、上記ドアの後側に位置し、上記ドアの撓みにより当該ドアに当接する突起部を上記パネルの上部に設けると共に、上記ドアの回動時に上記突起部との衝突を回避する逃げ孔を上記ドアに設けたことを特徴とするフロッピーディスク駆動装置。
【発明の詳細な説明】
【０００１】
【産業上の利用分野】
この発明は薄型化フロッピーディスク駆動装置の操作性向上に関するものである。
【０００２】
【従来の技術】
図１４は従来のフロッピーディスク駆動装置の一例を示す分解斜視図、図１５は外観斜視図、図１６はカバーを外したフロッピーディスク駆動装置の平面簡略図、図１７および図１８は要部の拡大図、図１９はフロッピーディスクの斜視図である。図において、(1)は全体を収納するフレーム、(2)はディスケットホルダ、(3)はスライドカムでフレーム(1)の案内部(1-1)と摺動部(3-2)で摺動可能に係接されている。(3-1)はスライドカムに設けられたディスケットホルダ(2)を昇降運動させるための案内部、(4)はスライドカムを付勢するバネ、(5)はスライドカム(3)のボタン取付部(3-3)に取り付けられたボタン、(6)はフレーム(1)のドア取付穴(1-2)にドア軸(6-1)が挿入されて回動可能に取付けられたドア、(7)はドア(6)を付勢するバネ、(8)はフレーム(1)に爪を介して係着されたパネル、(8-1)はパネル(8)に設けた開口部である。(9)はフレーム(1)を上部より包囲するカバー、(12)はカバーの補強板、(13)はフロッピーディスクである。
【０００３】
次に動作について説明する。図１４〜図１８において、フロッピーディスク(13)がスロット口である開口部(8-1)より挿入され、ドア(6)を回動させ、ディスケットホルダ(2)に挿入される。次にフロッピーディスク(13)により図示されないスライドカムのロック機構のロックが解除され、スライドカムの摺動部(3-2)が案内部(1-1)に沿って摺動しながら、スライドカム(3)がバネ(4)により前方へ移動し、これに係接するディスケットホルダ(2)がスライドカムの案内部(3-1)に沿って下降移動し、所定の位置に位置決めされる。また、フロッピーディスク(13)を排出する時は、ボタン(5)を押すとスライドカム(3)が後方へ移動し、これに係接しているディスケットホルダ(2)がスライドカムの案内部(3-1)に沿って上昇移動し、所定の位置でスライドカム(3)が図示されないロック機構により位置決めされ、それによりディスケットホルダ(2)が所定の位置に位置決めされる。次いで図示されないレバーがフロッピーディスク(13)を押し出して排出させ、フロッピーディスク(13)を開口部(8-1)より取り出すことにより、ドア(6)は所定の位置に付勢される。また、カバーの補強板(12)はカバー(9)に荷重が負荷されたときにカバー(9)の変形を防止するはたらきをする。
【０００４】
【発明が解決しようとする課題】
上記のように構成された従来のフロッピーディスク駆動装置では、以下のような問題がある。
最近のフロッピーディスク駆動装置の薄型化に伴って、ドアの開閉の回動中心とフロッピーディスクの挿入時にフロッピーディスクがドアを押す位置とが近付いて来た。このため、フロッピーディスクの異常挿入により、ドアの開閉の回動中心をフロッピーディスクが押すと、ドアが変形し、ドアの回動軸が外れてしまうという不具合があった。図１８は、フロッピーディスクの異常挿入の際のドアのたわみによるドア外れの説明図である。
【０００５】
この発明は上記のような問題点を解消するめになされたもので、フロッピーディスクの異常挿入によるドア外れが防止された、ドアの取付安定性の高いフロッピーディスク駆動装置を得ることを目的とする。
【０００６】
【課題を解決するための手段】
請求項１〜３の発明に係るフロッピーディスク駆動装置は、フロッピーディスクの異常挿入により撓むドアに当接する折曲部又は突起部をドア後側位置に設け、上記ドアに上記折曲部又は突起部との衝突を回避するくぼみ部を設けたことを主要な構成としている。
【０００７】
請求項４〜６の発明に係るフロッピーディスク駆動装置は、フロッピーディスクの異常挿入により撓むドアに当接する折曲部又は突起部をドア後側位置に設け、上記ドアに上記折曲部又は突起部との衝突を回避する逃げ孔を設けたことを主要な構成としている。
【０００８】
【作用】
この発明に係るフロッピーディスク駆動装置は、ドアの後側位置又は前側位置に折曲部又は突起部を設けたことにより、フロッピーディスクの異常挿出入により撓むドアにこれらが当接するので、ドア外れを防止することが可能となる。
【０００９】
【実施例】
実施例１．
以下、この発明の一実施例を図について説明する。図１、図２はこの発明の一実施例を示し、図１は全体の平面図、図２はドアとカバーとの作用を説明する断面図である。図において、(1)は全体のメカニズムを収納するフレーム、(6)はドア、(8)はパネル、(9)はカバー、(12)はカバーの補強板、(13)はフロッピーディスクである。
【００１０】
この実施例では、図１４に示す従来例と同様にドア(6)の左右に形成したドア軸(6-1)がフレーム(1)のドアの取り付け穴(1-2)に挿入されている。ところがフロッピーディスクの異常挿入によりドア(6)の軸心が撓み、ドア軸(6-1)が取り付け穴(1-2)より脱出するおそれがあるので、フロッピーディスクの異常挿入により撓んだドア(6)に当接するカバー(9)の折曲部(9-4)が垂設されている。折曲部はカバー(9)の代わりに補強板(12)を前方に延設し、その延設部に形成することもできる。また、ドア(6)の前部にも撓んだドア(6)に当接するカバー(9)の折曲部(9-5)が垂設されるのが好ましい。
さらに、図２に示すように、ドア(6)が回動した際、折曲部(9-4)又は(9-5)に接触するのを防止するため、ドア(6)に逃げ穴(6-2)を形成する。ドア(6)に充分な厚さがあるときは逃げ穴(6-2)の代わりにくぼみ部を設けてもよい。
【００１１】
次に動作について説明する。フロッピーディスクが異常挿入された時、ドア(6)の回動中心部を押しドア(6)を撓ませようとした場合、カバー(9)に形成された第１の当接部である折曲部(9-4)に当接し、ドアの変形を抑えるから軸の脱出が阻止される。また、フロッピーディスク(13)を排出する時にフロッピーディスク(13)のシャッターがドア(6)に引っ掛かり、ドア(6)を前側に変形させようとした場合は、第２の当接部である(9-5)の折曲部に当接し、ドア(6)の変形を抑える。また、フロッピーディスクの挿入が挿入口の端に行われた場合に、ドア(6)の中央部が前方に撓む場合があり、これらの変形が(9-5)の折曲部で抑えられるから、軸の脱出が阻止される。また、ドア(6)には逃げ穴(6-2)が設けられているので、ドア(6)の正常な回動が折曲部(9-4)により妨げられることがない。
【００１２】
実施例２．
上記実施例１では、折曲部をカバー(9)に形成していたが、フレームに形成してもよい。すなわち、図３及び４はこの実施例を示し、図３は平面図、図４は要部側面図で、図３、４に示すように、フレーム(1)の両側上部より内方へ突出する水平部材(1-a)の前方に折曲部(1-4)(1-3)を延設することによりドア(6)の前後に折曲部を配設することができる。
【００１３】
実施例３．
上記実施例１、２は折曲部をカバー(9)又はフレーム(1)に形成しているが、この実施例の平面図及び要部側面図を示す図５、図６に示すようにパネル(8)に一体に突起部(8-3)(8-2)をドアの前後に位置するように設けてもよい。このようにすれば突起部(8-3)(8-2)はパネル成形の際簡単に製造でき、作用効果も上記実施例１、１５と何等変わらない。
【００１４】
実施例４．
以下、この発明のドア外れ防止に係る他のフロッピーディスク駆動装置について説明する。図７は要部を示す平面図である。図において、(1)はフレーム、(1-5)はフレーム(1)の巾を縮巾したドア軸支持部、(8)はパネル、(6)はドアで両端にドア軸(6-1)を突設し、ドア軸支持部(1-5)より長く突出させ、先端を潰して設けた抜け止め用のカシメ部(6-3)を形成する。
【００１５】
次に動作について説明する。前述の如く、ドア(6)のドア軸(6-1)の巾は、フレームのドア軸支持部(1-5)の巾よりも長くしている関係上ドア(6)をフレーム(1)に取付けた時、ドア軸(6-1)はフレーム(1)の側方に突出する。そして、その突出部に抜け止め用のカシメ部を形成しているため、フロッピーディスク(13)の異常挿入により、ドア(6)が撓んだとしても、ドア軸(6-1)が抜けないので、ドア(6)は外れない。
【００１６】
実施例５．
上記実施例４では、抜け止め用のカシメ部を形成していたが、図８に示すように、ドア軸(6-1)の先端に止め具(14)を嵌合させ、抜け止めを形成してもよい。このようにすれば実施例３と同様の効果を奏することができる。
【００１７】
実施例６．
以下、この発明のドア外れ防止に係る他のフロッピーディスク駆動装置について説明する。図９は要部を示す拡大平面図である。図において、(1)はフレーム、(1-6)はフレーム(1)の縮巾部に形成したＵ溝部、(8)はパネルで、(8-4)はパネルの両側より後方に突設したドア軸支持部、(6-4)はドア軸に形成した環状のドア軸溝であって、上記Ｕ溝はドア軸溝(6-4)に下方から介入した構成となっている。
【００１８】
次に動作について説明する。ドア(6)はパネル(8)のドア軸支持部(8-4)に支承されている。フロッピーディスクの異常挿入により、ドア(6)が変形しても、フレーム(1)のＵ溝部(1-6)にドア軸溝(6-4)が引っ掛かり、ドア軸支持部(8-4)から抜けることが無く、ドア外れを防止することができる。
【００１９】
実施例７．
上記実施例６では、パネル(8)の両側より後方に突設したドア軸支持部(8-4)にドア軸を軸支したが、図１０に示すようにフレーム(1)の両側にドア軸支持部(1-5)を設けることもできる。この場合は、パネル(8)の両側後方に突設したＵ溝付突出体(8-5)のＵ溝がドア軸溝(6-4)に介入することになる。この場合でも実施例１９と同様の効果を奏することができる。また、Ｕ溝は逆Ｕ溝とすることもできる。
【００２０】
実施例８．
なお、上記実施例７ではパネル(8)のＵ溝付突出体(8-5)のＵ溝がドア軸溝(6-4)に介入していたが、これに代えて図１１に示すようにカバー(9)前部両側のＵ溝付折曲部(9-6)を形成し、そのＵ溝をドア軸溝(6-4)に介入させてもよい。この場合でも上記実施例７と同様の効果を奏することができる。また、Ｕ溝は逆Ｕ溝であってもよい。
【００２１】
実施例９．
以下、この発明のドア外れ防止に係る他のフロッピーディスク駆動装置について説明する。図１２において、(1)はフレーム、(8)はパネル、(8-6)は上部を開口部の後部上側と薄肉ヒンジ(8-a)を介して一体に形成されたドア部であって、ポリプロピレン樹脂の射出成形により製造することができる。
上記のように形成しているので、フロッピーディスクの異常挿入が行われたとしてもドア部(8-6)はパネル(8)と一体に形成されているので、ドア部が外れることは絶対に無い。
【００２２】
実施例１０．
以下、この発明のドア外れ防止に係る他のフロッピーディスク駆動装置について説明する。図１３は要部の側面図である。図において、(1)はフレーム、(6-5)は断面扇形状のドア軸、(1-7)は断面扇形状のドア軸嵌合穴で、ドア軸(6-5)の弧状部はドア軸嵌合穴(1-7)の弧状部に沿って摺動する。
上記のように構成されているので、ドア(6)の回動中心は扇形のかなめ部(6-6)となる。本来ドア(6)の回動中心は上に上っていく程ドア外れに対し有利となるが、フロッピーディスク駆動装置が薄型化すればする程回動中心を上にとれなくなる。しかるにこの実施例によれば従来の丸形断面軸に比べ回動中心を上にとることができるので、フロッピーディスクの異常挿入に際し、ドアは外れにくくなる。
【００２３】
【発明の効果】
この発明によれば、上記のようにフロッピーディスクの異常挿入により撓むドアに当接するカバーの折曲部もしくは突起部を、ドアの後側位置に設け、ドアに上記折曲部又は突起部との衝突を回避するくぼみ部又は逃げ孔を設けたことにより、ドア外れの防止およびドアの取付安定性の向上を図ることができる効果がある。
【図面の簡単な説明】
【図１】  この発明の実施例１に係るフロッピーディスク駆動装置の平面図。
【図２】  この発明の実施例１に係るドアの作用説明図。
【図３】  この発明の実施例２に係るフロッピーディスク駆動装置の平面図。
【図４】  この発明の実施例２に係る要部の側面図。
【図５】  この発明の実施例３に係るフロッピーディスク駆動装置の平面図。
【図６】  この発明の実施例３に係る要部の側面図。
【図７】  この発明の実施例４に係るフロッピーディスク駆動装置の要部の平面図。
【図８】  この発明の実施例５に係るフロッピーディスク駆動装置の要部の平面図。
【図９】  この発明の実施例６に係るフロッピーディスク駆動装置の要部の平面図。
【図１０】  この発明の実施例７に係るフロッピーディスク駆動装置の要部の平面図。
【図１１】  この発明の実施例８に係るフロッピーディスク駆動装置の要部の平面図。
【図１２】  この発明の実施例９に係るフロッピーディスク駆動装置の要部の側断面図。
【図１３】  この発明の実施例１０に係るフロッピーディスク駆動装置の要部の側面図。
【図１４】  従来の３.５インチフロッピーディスク駆動装置の分解斜視図。
【図１５】  従来の３.５インチフロッピーディスク駆動装置の外観斜視図。
【図１６】  カバーを外した従来のフロッピーディスク駆動装置上面略図。
【図１７】  図１６の拡大詳細図。
【図１８】  従来のフロッピーディスク駆動装置のドアたわみによるドア外れのモデル図。
【図１９】  ３.５インチフロッピーディスクを示す外観斜視図。
【符号の説明】
１  フレーム、１−１  案内部、１−２  取付穴、１−３  折曲部（第１の当接部）、１−４  折曲部（第２の当接部）、１−５  ドア軸支持部、１−６  Ｕ溝部、１−７  ドア軸嵌合穴、２  ディスケットホルダ、２−１  係接部、２−２  係接部、３  スライドカム、３−１  案内部、３−２  摺動部、３−３  ボタン取付部、４  スライドカムバネ、５  ボタン、５−１  挟持部、６  ドア、６−１  ドア軸、６−２  逃げ穴、６−３  カシメ部、６−４  ドア軸溝、６−５  ドア軸、６−６  かなめ部、７  バネ、８  パネル、８−ａ  突起、８−１  開口部（スロット口）、８−２  突起部（第１の当接部）、８−３  突起部（第２の当接部）、８−４  ドア軸支持部、８−５  Ｕ溝付突出体、８−６  ドア部、９  カバー、９−１  案内部、９−２  突起、９−４  折曲部（第１の当接部）、９−５  折曲部（第２の当接部）、９−６  Ｕ溝付折曲部、１０  ボタン取付部材、１０−ａ  スリット、１０−１  ボタン取付部、１０−２  Ｔ字形穴、１０−３  爪形状部、１０−４  穴、１０−５  突起、１１  ボタン取付部材、１１−１  ボタン取付部、１１−２  フック、１１−３  傾斜付突起、１２  カバーの補強板。
【図１】
0003647745.tif 000002
【図２】
0003647745.tif 000003
【図３】
0003647745.tif 000004
【図４】
0003647745.tif 000005
【図５】
0003647745.tif 000006
【図６】
0003647745.tif 000007
【図７】
0003647745.tif 000008
【図８】
0003647745.tif 000009
【図９】
0003647745.tif 000010
【図１０】
0003647745.tif 000011
【図１１】
0003647745.tif 000012
【図１２】
0003647745.tif 000013
【図１３】
0003647745.tif 000014
【図１４】
0003647745.tif 000015
【図１５】
0003647745.tif 000016
【図１６】
0003647745.tif 000017
【図１７】
0003647745.tif 000018
【図１８】
0003647745.tif 000019
【図１９】
0003647745.tif 000020